(57)【要約】      （修正有）【課題】着用時はファスニングテープが外れにくく、取り外す際は容易にサイドフラップからの離脱が可能な使い捨ておむつを提供する。【解決手段】サイドフラップ（１４）と、幅方向においてその両側部に配置されたファスニングテープ（３０）と、厚さ方向においてファスニングテープ（３０）の一部をサイドフラップ（１４）の非肌側に接合する接合部（４０）と、を備え、展開状態において、ファスニングテープ（３０）のうち接合部（４０）よりも幅方向の外側の領域を、幅方向に沿って外側に向かう方向に引っ張った際に、接合部（４０）が剥がれるときの力（Ｆ１Ｓ）の大きさが、ファスニングテープ（３０）のうち接合部（４０）よりも幅方向の内側の領域を、幅方向に沿って外側に向かう方向から厚さ方向に沿って外側に向かう方向までの間の任意の方向に引っ張った際に、接合部（４０）が剥がれるときの力の大きさ（Ｆ２Ｓ）の最小値よりも大きい。【選択図】図７
2018075337.tif 000002
【特許請求の範囲】
【請求項１】
互いに交差する長手方向と幅方向と厚さ方向とを有し、
サイドフラップと、
前記幅方向において前記サイドフラップの両側部に配置されたファスニングテープと、
前記厚さ方向において前記ファスニングテープの一部を前記サイドフラップの非肌側に接合する接合部と、
を備え、
展開状態において、
前記ファスニングテープのうち前記接合部よりも前記幅方向の外側の領域を、前記幅方向に沿って外側に向かう方向に引っ張った際に、前記接合部が剥がれるときの力の大きさが、
前記ファスニングテープのうち前記接合部よりも前記幅方向の内側の領域を、前記幅方向に沿って外側に向かう方向から前記厚さ方向に沿って外側に向かう方向までの間の任意の方向に引っ張った際に、前記接合部が剥がれるときの力の大きさの最小値よりも大きい、ことを特徴とする使い捨ておむつ。
【請求項２】
請求項１に記載の使い捨ておむつであって、
展開状態において、
前記ファスニングテープのうち前記接合部よりも前記幅方向の外側の領域を、前記幅方向に沿って外側に向かう方向に引っ張った際に、前記接合部が剥がれるときの力の大きさは、前記ファスニングテープのうち前記接合部よりも前記幅方向の内側の領域を、前記幅方向に沿って外側に向かう方向から前記厚さ方向に沿って外側に向かう方向までの間の任意の方向に引っ張った際に、前記接合部が剥がれるときの力の大きさの最大値よりも大きい、ことを特徴とする使い捨ておむつ。
【請求項３】
請求項１または２に記載の使い捨ておむつであって、
前記ファスニングテープのうち、前記幅方向において前記接合部を含む所定の幅の領域の前記幅方向に対する伸縮性は、
前記ファスニングテープのうち、前記所定の幅の領域以外の領域の前記幅方向に対する伸縮性以下である、ことを特徴とする使い捨ておむつ。
【請求項４】
請求項３に記載の使い捨ておむつであって、
前記ファスニングテープのうち、前記所定の幅の領域は、前記幅方向に対して非伸縮である、ことを特徴とする使い捨ておむつ。
【請求項５】
請求項１〜４のいずれかに記載の使い捨ておむつであって、
前記接合部は、前記幅方向に沿って間欠的に並ぶ複数のドット状接合部を有し、
前記幅方向において最も内側の位置に配置されている前記ドット状接合部の面積は、その他の位置に配置されている前記ドット状接合部の面積よりも小さい、ことを特徴とする使い捨ておむつ。
【請求項６】
請求項１〜５のいずれかに記載の使い捨ておむつであって、
展開状態において、
前記ファスニングテープのうち前記接合部よりも前記幅方向の外側の領域を、前記幅方向に沿って外側に向かう方向に引っ張った際に、前記接合部が剥がれるときの力の大きさが、
前記ファスニングテープのうち前記接合部よりも前記幅方向の内側の領域を、前記長手方向に沿って胴回り側から股下側に引っ張った際に、前記接合部が剥がれるときの力の大きさの最小値よりも大きい、ことを特徴とする使い捨ておむつ。
【請求項７】
請求項６に記載の使い捨ておむつであって、
前記接合部は、前記長手方向に沿って間欠的に並ぶ複数のドット状接合部を有し、
前記長手方向において最も胴回り側の位置に配置されている前記ドット状接合部の面積は、その他の位置に配置されている前記ドット状接合部の面積よりも小さい、ことを特徴とする使い捨ておむつ。
【請求項８】
請求項７に記載の使い捨ておむつであって、
前記ファスニングテープのうち前記接合部よりも前記幅方向の内側の領域を、前記長手方向に沿って胴回り側から股下側に引っ張った際に、前記接合部が剥がれるときの力の大きさは、
前記ファスニングテープのうち前記接合部よりも前記幅方向の内側の領域を、前記長手方向に沿って股下側から胴回り側に引っ張った際に、前記接合部が剥がれるときの力の大きさよりも小さい、ことを特徴とする使い捨ておむつ。
【請求項９】
請求項１〜８のいずれかに記載の使い捨ておむつであって、
前記長手方向において、前記サイドフラップの胴回り側の端から前記ファスニングテープの前記胴回り側の端までの距離は、
前記幅方向において、前記ファスニングテープの内側の端から前記接合部の内側の端までの距離よりも長い、ことを特徴とする使い捨ておむつ。
【請求項１０】
請求項１〜９のいずれかに記載の使い捨ておむつであって、
前記ファスニングテープを係合させるターゲット領域を備え、
展開状態において、前記ファスニングテープのうち前記接合部よりも前記幅方向の内側の領域を、前記幅方向に沿って外側に向かう方向から前記厚さ方向に沿って外側に向かう方向までの間の任意の方向に引っ張った際に、前記接合部が剥がれるときの力の大きさが、
前記ファスニングテープを前記ターゲット領域に係合させた状態において、前記ターゲット領域から前記ファスニングテープを剥離させるときの力の大きさよりも大きい、ことを特徴とする使い捨ておむつ。
【請求項１１】
請求項１〜１０のいずれかに記載の使い捨ておむつであって、
前記ファスニングテープのうち前記接合部よりも前記幅方向の内側の領域を指示する指示マークが設けられている、ことを特徴とする使い捨ておむつ。
【請求項１２】
互いに交差する長手方向と幅方向と厚さ方向とを有し、
液吸収性の吸収体と、
前記厚さ方向において前記吸収体よりも非肌側に設けられた外装シートと、
前記幅方向において前記外装シートの両側部に配置されたファスニングテープと、
前記厚さ方向において前記ファスニングテープの一部を前記外装シートの非肌側に接合する接合部と、
を備え、
展開状態において、
前記ファスニングテープのうち前記接合部よりも前記幅方向の外側の領域を、前記幅方向に沿って外側に向かう方向に引っ張った際に、前記接合部が剥がれるときの力の大きさが、
前記ファスニングテープのうち前記接合部よりも前記幅方向の内側の領域を、前記幅方向に沿って外側に向かう方向から前記厚さ方向に沿って外側に向かう方向までの間の任意の方向に引っ張った際に、前記接合部が剥がれるときの力の大きさの最小値よりも大きい、ことを特徴とする使い捨ておむつ。
【発明の詳細な説明】
【技術分野】
【０００１】
本発明は、使い捨ておむつに関する。
【背景技術】
【０００２】
従来、オープンタイプの使い捨ておむつが広く用いられている。オープンタイプの使い捨ておむつでは、サイドフラップにファスニングテープが設けられており、前部（腹側の部位、前胴回り部とも言う）にはファスニングテープと係合するターゲットテープが設けられている。例えば、特許文献１には、ファスニングテープとサイドフラップとの接合部の強度を弱くして、サイドフラップからファスニングテープを容易に分離させることが可能な使い捨ておむつが開示されている。
【先行技術文献】
【特許文献】
【０００３】
【特許文献１】特許第５２８２０２０号公報
【発明の概要】
【発明が解決しようとする課題】
【０００４】
特許文献１の使い捨ておむつ(以下、単に「おむつ」とも呼ぶ)によれば、おむつの着用者が例えば俯せの姿勢であっても、サイドフラップからファスニングテープを分離させる（切り離す）ことによって、着用されている状態のおむつを容易に取り外すことができる。しかし、特許文献１のおむつではファスニングテープとサイドフラップとの接合部の強度が弱いため、おむつの着用時において、着用者が身体を動かしただけでファスニングテープがサイドフラップから離脱してしまうおそれがある。また、着用対象者におむつを着用させるためにファスニングテープを引っ張っただけで、ファスニングテープがサイドフラップから分離してしまうおそれがある。
本発明は、上記のような問題に鑑みてなされたものであって、その目的とするところは、着用時にはファスニングテープが外れにくく、取り外す際には容易にファスニングテープをサイドフラップから離脱させることが可能な使い捨ておむつを提供することにある。
【課題を解決するための手段】
【０００５】
上記目的を達成するための主たる発明は、
互いに交差する長手方向と幅方向と厚さ方向とを有し、サイドフラップと、前記幅方向において前記サイドフラップの両側部に配置されたファスニングテープと、前記厚さ方向において前記ファスニングテープの一部を前記サイドフラップの非肌側に接合する接合部と、を備え、展開状態において、前記ファスニングテープのうち前記接合部よりも前記幅方向の外側の領域を、前記幅方向に沿って外側に向かう方向に引っ張った際に、前記接合部が剥がれるときの力の大きさが、前記ファスニングテープのうち前記接合部よりも前記幅方向の内側の領域を、前記幅方向に沿って外側に向かう方向から前記厚さ方向に沿って外側に向かう方向までの間の任意の方向に引っ張った際に、前記接合部が剥がれるときの力の大きさの最小値よりも大きい、ことを特徴とする使い捨ておむつである。
【０００６】
本発明の他の特徴については、本明細書及び添付図面の記載により明らかにする。
【発明の効果】
【０００７】
本発明によれば、着用時にはファスニングテープが外れにくく、取り外す際には容易にファスニングテープをサイドフラップから離脱させることが可能な使い捨ておむつを提供することができる。
【図面の簡単な説明】
【０００８】
【図１】おむつ１を展開かつ伸長させた状態について表す平面図である。
【図２】図２Ａは、おむつ１の後部７の分解説明図である。図２Ｂは、おむつ１の股下部５の分解説明図である。
【図３】ポジショニング姿勢の説明図である。
【図４】ファスニングテープ３０の構成について説明する図である。
【図５】接合部４０の一例について説明する平面図である。
【図６】図６Ａ〜図６Ｃは、接合部４０を剥がすことによっておむつ１を取り外す方法について説明する断面模式図である。
【図７】図７Ａ及び図７Ｂは、接合部４０に作用する力について説明する図である。
【図８】接合部４０の変形例について示す平面図である。
【図９】ファスニングテープ３０がおむつ１の長手方向に引っ張られる場合に、接合部４０に作用する力について説明する図である。
【図１０】接合部４０の変形例について示す平面図である。
【図１１】展開かつ伸長させた状態のおむつ１の変形例（おむつ２）について表す平面図である。
【図１２】おむつ２の後部７の分解説明図である。
【発明を実施するための形態】
【０００９】
本明細書及び添付図面の記載により、少なくとも以下の事項が明らかとなる。
互いに交差する長手方向と幅方向と厚さ方向とを有し、サイドフラップと、前記幅方向において前記サイドフラップの両側部に配置されたファスニングテープと、前記厚さ方向において前記ファスニングテープの一部を前記サイドフラップの非肌側に接合する接合部と、を備え、展開状態において、前記ファスニングテープのうち前記接合部よりも前記幅方向の外側の領域を、前記幅方向に沿って外側に向かう方向に引っ張った際に、前記接合部が剥がれるときの力の大きさが、前記ファスニングテープのうち前記接合部よりも前記幅方向の内側の領域を、前記幅方向に沿って外側に向かう方向から前記厚さ方向に沿って外側に向かう方向までの間の任意の方向に引っ張った際に、前記接合部が剥がれるときの力の大きさの最小値よりも大きい、ことを特徴とする使い捨ておむつ。
このような使い捨ておむつによれば、おむつの着用時にファスニングテープが引っ張られることによって自然に外れてしまうことを抑制しつつ、おむつを取り外す際には、ファスニングテープをサイドフラップから容易に離脱させることができるようになる。
【００１０】
かかる使い捨ておむつであって、展開状態において、前記ファスニングテープのうち前記接合部よりも前記幅方向の外側の領域を、前記幅方向に沿って外側に向かう方向に引っ張った際に、前記接合部が剥がれるときの力の大きさは、前記ファスニングテープのうち前記接合部よりも前記幅方向の内側の領域を、前記幅方向に沿って外側に向かう方向から前記厚さ方向に沿って外側に向かう方向までの間の任意の方向に引っ張った際に、前記接合部が剥がれるときの力の大きさの最大値よりも大きい、ことが望ましい。
このような使い捨ておむつによれば、着用されているおむつを取り外す際に、ファスニングテープが引っ張られる方向によらず、ファスニングテープを容易にサイドフラップから離脱させることができるようになる。したがって、おむつを取り外す作業が容易になり、着用者の身体により負担をかけにくくすることができる。
【００１１】
かかる使い捨ておむつであって、記ファスニングテープのうち、前記幅方向において前記接合部を含む所定の幅の領域の前記幅方向に対する伸縮性は、前記ファスニングテープのうち、前記所定の幅の領域以外の領域の前記幅方向に対する伸縮性以下である、ことが望ましい。
このような使い捨ておむつによれば、おむつを着脱させる動作においてファスニングテープが幅方向に引っ張られた場合であっても、接合部が形成されている領域が伸縮しにくくなるため、接合部が変形しにくく、接合強度が低下しにくくなる。したがって、おむつの着用時に着用者が身体を動かしたりした場合であっても、接合部が自然に剥がれてしてしまうことを抑制することができる。
【００１２】
かかる使い捨ておむつであって、前記ファスニングテープのうち、前記所定の幅の領域は、前記幅方向に対して非伸縮である、ことが望ましい。
このような使い捨ておむつによれば、ファスニングテープを引っ張って接合部を剥がす動作を行う際に、該ファスニングテープを引っ張る力を効率的に接合部に対して作用させやすくなる。これにより、より小さな力で接合部を剥がしやすくすることができる。
【００１３】
かかる使い捨ておむつであって、前記接合部は、前記幅方向に沿って間欠的に並ぶ複数のドット状接合部を有し、前記幅方向において最も内側の位置に配置されている前記ドット状接合部の面積は、その他の位置に配置されている前記ドット状接合部の面積よりも小さい、ことが望ましい。
このような使い捨ておむつによれば、ファスニングテープを幅方向に引っ張って接合部を剥がす動作を行う際に、引っ張る力が最初に作用する領域に配置されているドット状接合部による接合力を他の領域よりも弱くすることで、ファスニングテープを簡単に剥がしやすくなる。
【００１４】
かかる使い捨ておむつであって、展開状態において、前記ファスニングテープのうち前記接合部よりも前記幅方向の外側の領域を、前記幅方向に沿って外側に向かう方向に引っ張った際に、前記接合部が剥がれるときの力の大きさが、前記ファスニングテープのうち前記接合部よりも前記幅方向の内側の領域を、前記長手方向に沿って一方側から他方側に引っ張った際に、前記接合部が剥がれるときの力の大きさの最小値よりも大きい、ことが望ましい。
このような使い捨ておむつによれば、おむつの着用時にファスニングテープが引っ張られることによって自然に外れてしまうことを抑制しつつ、おむつを取り外す際に、ファスニングテープを長手方向に沿って引っ張った場合であっても、該ファスニングテープをサイドフラップから容易に離脱させることができるようになる。
【００１５】
かかる使い捨ておむつであって、前記接合部は、前記長手方向に沿って間欠的に並ぶ複数のドット状接合部を有し、前記長手方向において最も胴回り側の位置に配置されている前記ドット状接合部の面積は、その他の位置に配置されている前記ドット状接合部の面積よりも小さい、ことが望ましい。
このような使い捨ておむつによれば、ファスニングテープを長手方向に引っ張って接合部を剥がす動作を行う際に、引っ張る力が最初に作用する領域に配置されているドット状接合部による接合力を他の領域よりも弱くすることで、ファスニングテープを簡単に剥がしやすくなる。
【００１６】
かかる使い捨ておむつであって、前記ファスニングテープのうち前記接合部よりも前記幅方向の内側の領域を、前記長手方向に沿って胴回り側から股下側に引っ張った際に、前記接合部が剥がれるときの力の大きさは、前記ファスニングテープのうち前記接合部よりも前記幅方向の内側の領域を、前記長手方向に沿って股下側から胴回り側に引っ張った際に、前記接合部が剥がれるときの力の大きさよりも小さい、ことが望ましい。
このような使い捨ておむつによれば、おむつ着用時にポジショニング姿勢を取っている低体重児が脚を動かした場合に、股下側から胴回り側に向かって接合部が剥がれてしまい、おむつが自然に外れてしまう等の問題が生じにくくなる。一方、おむつを取り外す際には、胴回り側から股下側に向かっておむつ内側に指を入れてファスニングテープを引っ張ることで、接合部を容易に剥がすことが可能となる。
【００１７】
かかる使い捨ておむつであって、前記サイドフラップの胴回り側の端から前記ファスニングテープの前記胴回り側の端までの距離は、前記幅方向において、前記ファスニングテープの内側の端から前記接合部の内側の端までの距離よりも長い、ことが望ましい。
このような使い捨ておむつによれば、ファスニングテープを引っ張って接合部を剥がす動作を行う際に、作業者は一方の手でサイドフラップの長手方向胴回り側端部をつかみやすく、他方の手でファスニングテープの幅方向内側端部をつかみやすくなる。これにより、ファスニングテープを引っ張る力を効率的に接合部に作用させることができる。
【００１８】
かかる使い捨ておむつであって、前記ファスニングテープを係合させるターゲット領域を備え、展開状態において、前記ファスニングテープのうち前記接合部よりも前記幅方向の内側の領域を、前記幅方向に沿って外側に向かう方向から前記厚さ方向に沿って外側に向かう方向までの間の任意の方向に引っ張った際に、前記接合部が剥がれるときの力の大きさが、前記ファスニングテープを前記ターゲット領域に係合させた状態において、前記ターゲット領域から前記ファスニングテープを剥離させるときの力の大きさよりも大きい、ことが望ましい。
このような使い捨ておむつによれば、ターゲット領域に対してファスニングテープを繰り返し着脱しやすくなり、胴回りのフィット性やおむつ１の着用位置を調整しやすくなる。一方、ファスニングテープとサイドフラップとは、互いに簡単に剥がれることのない程度に接合することができる。
【００１９】
かかる使い捨ておむつであって、前記ファスニングテープのうち前記接合部よりも前記幅方向の内側の領域を指示する指示マークが設けられている、ことが望ましい。
このような使い捨ておむつによれば、着用者されているおむつ１を取り外す際に、作業者はファスニングテープのどの部分を引っ張れば接合部を簡単に剥がすことができるのかを正しく認識しやすくなる。
【００２０】
また、互いに交差する長手方向と幅方向と厚さ方向とを有し、液吸収性の吸収体と、前記厚さ方向において前記吸収体よりも非肌側に設けられた外装シートと、前記幅方向において前記外装シートの両側部に配置されたファスニングテープと、前記厚さ方向において前記ファスニングテープの一部を前記外装シートの非肌側に接合する接合部と、を備え、展開状態において、前記ファスニングテープのうち前記接合部よりも前記幅方向の外側の領域を、前記幅方向に沿って外側に向かう方向に引っ張った際に、前記接合部が剥がれるときの力の大きさが、前記ファスニングテープのうち前記接合部よりも前記幅方向の内側の領域を、前記幅方向に沿って外側に向かう方向から前記厚さ方向に沿って外側に向かう方向までの間の任意の方向に引っ張った際に、前記接合部が剥がれるときの力の大きさの最小値よりも大きい、ことを特徴とする使い捨ておむつが明らかとなる。
このような使い捨ておむつによれば、おむつの着用時にファスニングテープが引っ張られることによって自然に外れてしまうことを抑制しつつ、おむつを取り外す際には、ファスニングテープを外装シートから容易に離脱させることができるようになる。
【００２１】
＝＝＝実施形態＝＝＝
＜使い捨ておむつ１の基本構成＞
本実施形態の使い捨ておむつ１（以下、単におむつ１とも呼ぶ）は、主に新生児や乳幼児を着用対象とした使い捨ておむつであり、体重が３０００ｇ以下の低体重児、特に体重が２５００ｇ未満の低出生体重児に好適に用いられる。なお、低体重児には、低出生体重児（体重２５００ｇ未満）だけでなく、極低出生体重児用（体重１５００ｇ未満）や超低出生体重児用（体重１０００ｇ未満）も含まれる。
【００２２】
図１は、おむつ１を展開かつ伸長させた状態について表す平面図である。図２Ａは、おむつ１の後部７の分解説明図である。図２Ｂは、おむつ１の股下部５の分解説明図である。なお、おむつ１を展開かつ伸長させた状態とは、おむつ１の展開状態において、おむつ１に生じていた皺が実質的に視認されなくなる程に伸長させた状態であり、おむつ１を構成する各部材（例えば後述するトップシート２２等）の寸法がその部材単体の寸法と一致又はそれに近い長さになるまでおむつ１が伸長した状態である。
【００２３】
本実施形態のおむつ１は、所謂オープンタイプの使い捨ておむつであり、図１に示すように、前部３と、股下部５と、後部７とを有する。前部３は、着用者の前部（腹側、前胴回り）に位置することになる部分である。また、後部７は、着用者の後部（背側、後胴回り）に位置することになる部分である。股下部５は、前部３と後部７との間に位置することになる部分である。
【００２４】
以下の説明では、図１に示すように、各方向を定義する。すなわち、前部３から後部７に向かう方向を「長手方向」とし、長手方向と直交する方向を「幅方向」とする。図１に示されているＣＬは、長手方向におけるおむつ１の中心を示す線である。また、図２に示すように、長手方向及び幅方向と直交する方向を「厚さ方向」とし、着用者の肌の側を「肌側」とし、その逆側を「非肌側」とする。
【００２５】
おむつ１は、中央帯状領域１２と、サイドフラップ１４と、レッグギャザー１６と、レッグサイドギャザー１７とを有する。一対のサイドフラップ１４の前部３には、ファスニングテープ３０がそれぞれ取り付けられている。
【００２６】
中央帯状領域１２は、前部３、股下部５及び後部７によって構成された幅方向の中央部に位置する帯状の領域である（図１参照）。中央帯状領域１２は、着用者によって排泄された尿等の液体を吸収し保持する部位である。中央帯状領域１２は、液保持性の吸収体２１を含む縦長の形状（長手方向に沿った形状）を有する。中央帯状領域１２は、主に、吸収体２１、トップシート２２、防漏シート２３及びバックシート２４を有する（図２Ａ及び図２Ｂ参照）。
【００２７】
吸収体２１は、尿等の排泄物を吸収することが可能な液体吸収性素材を積層してなる部材であり、前部３、股下部５及び後部７にわたって配置されている。図１の砂地で表示された領域は、吸収体２１の占める領域を示している。本実施形態の吸収体２１は、長手方向に長い略長方形状を有する。但し、吸収体２１の形状は、図１に示す形状に限定されるものではない。また、吸収体２１は、少なくとも股下部５に設けられていれば良い。吸収体２１は、トップシート２２及び防漏シート２３に挟まれて配置されている。吸収体２１を構成する液体吸収性素材としては、例えばパルプ繊維等の液体吸収性繊維や、高吸収性ポリマー等の液体吸収性粒状物を使用することができる。また、液体吸収性繊維及び液体吸収性粒状物以外の液体吸収性素材を含んでいても良い。
【００２８】
吸収体２１の股下部５には、幅方向の両端部の前部３寄りに１対のダーツ部２１ｆが形成されている。同様に、幅方向の両端部の後部７寄りに１対のダーツ部２１ｂが形成されている。ダーツ部２１ｆ及び２１ｂは、吸収体２１が図１のような略釣りがね形状に切欠かれたくびれ部である。なお、当該ダーツ部２１ｆ及び２１ｂの形状は図１に示される形状には限られない。また、ダーツ部２１ｆ及び２１ｂにおいて吸収体２１が切り欠かれているのではなく、吸収体２１の他の部分よりも液体吸収性素材の目付量が少なくなっているのでも良い。例えば、ダーツ部２１ｆ及び２１ｂにおける液体吸収性素材の目付量が他の部分の目付量の１／３以下となるようにしても良い。いずれにせよ、吸収体２１の剛性はダーツ部２１ｆ及び２１ｂにおいて他の部分よりも低くなっている。これにより、当該ダーツ部の領域で吸収体２１を折り曲げやすくすると共に、着用者の身体（股下部）に合わせておむつ１を丸く立体的に変形させやすくして、おむつ１を着用する際のフィット性を向上させることができる。
【００２９】
トップシート２２は、吸収体２１の肌側に配置された液透過性の部材である。防漏シート２３は、吸収体２１の非肌側に配置された液不透過性の部材である。バックシート２４は、おむつ１の非肌側の外装を構成する部材（外装シート）であり、例えば不織布で構成されている。防漏シート２３の非肌側にはバックシート２４が配置されている（図２Ａ及び図２Ｂ参照）。
【００３０】
中央帯状領域１２のうち少なくとも股下部５には、吸収体２１とバックシート２４との間に、長手方向に伸縮可能な一対の脚回り弾性部材２５（例えば糸ゴム）が設けられている。脚回り弾性部材２５は、股下部５の中央帯状領域１２に伸縮性を付与する部材である。本実施形態では、長手方向に伸長させた状態で脚回り弾性部材２５が取り付けられる。これにより、脚回り弾性部材２５は中央帯状領域１２の股下部５に対して長手方向に沿った収縮力を発現する。おむつ１の着用時においては、股下部５が長手方向に沿って収縮することにより、上述のダーツ部２１ｆ及び２１ｂと相まって中央帯状領域１２が着用者の身体に沿って丸みを帯びた形状に立体的に変形する。これにより、中央帯状領域１２が着用者の股間部を包み込むような形状で保持されるようになるため、おむつ１のフィット感を向上させつつ、排泄物がおむつ１の外部に漏れることを抑制しやすくなる。
【００３１】
サイドフラップ１４は、中央帯状領域１２の幅方向の両側部に位置する部位である。サイドフラップ１４は、前部３、股下部５及び後部７にわたって形成されている（図１参照）。股下部５におけるサイドフラップ１４の幅方向の長さ（幅）は、前部３及び後部７におけるサイドフラップ１４の幅方向の長さ（幅）よりも狭い。サイドフラップ１４は、主に、肌側シート２６とバックシート２４から構成されている（図２Ａ及び図２Ｂ参照）。肌側シート２６は、前部３、股下部５及び後部７にわたって形成された肌側の部材であり、例えば不織布で構成されている。肌側シート２６は、レッグサイドギャザー１７（立体ギャザー）を構成する部材でもあり、肌側シート２６の外側の部位（図１の破線で表示された接合部２６Ａより外側の部位）がサイドフラップ１４を構成する。
【００３２】
一対のサイドフラップ１４には、長手方向に沿って伸縮するレッグギャザー弾性部材１５がそれぞれ設けられている。レッグギャザー弾性部材１５は、長手方向に沿って伸縮する糸ゴム等の弾性部材であり、おむつ１の着用時において、脚回り開口部に伸縮性を付与する部材である。すなわち、レッグギャザー弾性部材１５はおむつ１の脚繰り部を着用者の脚に合わせてフィットさせる脚回り弾性部材である。また、レッグギャザー弾性部材１５が股下部５の肌側シート２６及びバックシート２４に伸縮性を付与することによって、レッグギャザー１６が構成される。
【００３３】
レッグサイドギャザー１７は、脚繰りの隙間からの液漏れを防ぐための立体ギャザーである。一対のレッグサイドギャザー１７は、前部３、股下部５及び後部７にわたって長手方向に沿って形成されている（図１参照）。レッグサイドギャザー１７は、サイドフラップ１４の内側で中央帯状領域１２の両縁を覆うように形成されている。
【００３４】
レッグサイドギャザー１７（立体ギャザー）は、主に肌側シート２６の幅方向内側の部位から構成されている（図２参照）。股下部５の肌側シート２６の内縁は糸ゴム等のレッグサイドギャザー弾性部材１８によって伸縮性を有している。肌側シート２６は、中央帯状領域１２とサイドフラップ１４との間の接合部２６Ａで長手方向に沿って接合されている。おむつ１の着用時には、レッグサイドギャザー弾性部材１８の伸縮性によって肌側シート２６の接合部２６Ａよりも内側の領域が、接合部２６Ａを基点として着用者の肌側に立ち上がり、排泄物等の横漏れを抑制する。
【００３５】
ファスニングテープ３０は、おむつ１の後部７においてサイドフラップ１４の幅方向の両側部に配置されている（図１参照）。本実施形態のファスニングテープ３０は、面ファスナー等からなる係合部３１を備え、当該係合部３１を後述するターゲットテープ２９と係合させることが可能である。着用者（乳幼児等）におむつ１を着用させる際には、ファスニングテープ３０（係合部３１）をターゲットテープ２９に係合させることにより、おむつ１の胴回り開口及び脚回り開口が形成され、着用者の身体（胴）に対しておむつ１の位置を固定することができる。ファスニングテープ３０は、肌側面の一部の領域が、接合部４０を介してサイドフラップ１４（バックシート２４）の非肌側に接合されている。ファスニングテープ３０及び接合部４０の詳細については、後で説明する。
【００３６】
中央帯状領域１２の前部３には、ターゲットテープ２９が設けられている（図１参照）。ターゲットテープ２９は、前部３のバックシート２４の非肌側に配置されている。ターゲットテープ２９は、ファスニングテープ３０の係合部３１と係合可能な部材であり、例えば不織布によって形成されている。ターゲットテープ２９は、ファスニングテープ３０を係合させるターゲット領域を構成する。なお、バックシート２４の非肌側にターゲットテープ２９を配置する代わりに、バックシート２４を構成している最外層の不織布にターゲット領域を直接形成しても良い。そして、ファスニングテープ３０をターゲットテープ２９に係合させることによって、おむつ１を着用させることになる。
【００３７】
本実施形態の低体重児用のおむつ１の長手方向の製品長（製品を長手方向に皺なく伸長させた状態での寸法）は、２１０〜３３０ｍｍの範囲である。例えば、体重２５００ｇ未満の低出生体重児用のおむつ１の製品長は３１０ｍｍであり、体重１５００ｇ未満の極低出生体重児用のおむつ１の場合の製品長は２７０ｍｍであり、体重１０００ｇ未満の超低出生体重児用のおむつ１の場合の製品長は２３０ｍｍである。
【００３８】
また、本実施形態の低体重児用のおむつ１のウェスト寸法は、１６０〜２９５ｍｍの範囲である。なお、ウェスト寸法は、一方のファスニングテープ３０の端部を他方のファスニングテープ３０のフックシート領域Ｃのサイドフラップ１４側の端部に合わせた状態で、皺なく製品を伸ばした状態での寸法である。すなわち、製品を幅方向に伸長させた状態での寸法である。例えば、低出生体重児用のおむつ１のウェスト寸法は２７３．５ｍｍであり、体重１５００ｇ未満の極低出生体重児用のおむつ１の場合のウェスト寸法は２２０ｍｍである。
【００３９】
＜おむつ１の着脱について＞
おむつ１のようなオープンタイプの使い捨ておむつを着用させる際には、サイドフラップ１４の後部７の幅方向の両端部に設けられた一対のファスニングテープ３０を中央帯状領域１２の前部３（腹側）の非肌側に設けられたターゲットテープ２９とそれぞれ係合させることによって着用者の胴回りに固定する方法が一般的である。
【００４０】
ところで、本実施形態のおむつ１が着用対象としている低体重児は、一般に、病院等において保育器の中で育成されている。そのため、低体重児のおむつを着脱させる際には、作業者（おむつを低体重児に着脱させる人）は、保育器に設けられた作業用の窓から手を通して、狭いスペース内で作業を行う必要がある。また、低体重児は、保育器内において、図３に示すように背中をＣ字型に丸くカーブさせ、脚をＭ字型に強く曲げた俯せの姿勢を保持していることが多い。この姿勢は、母体内での胎児の姿勢（胎児様屈曲姿勢）に近く、安静させやすい姿勢であり「ポジショニング姿勢」とも呼ばれる。そして、低体重児がポジショニング姿勢を取っている場合、ターゲットテープとファスニングテープとの係合部は、図３のように着用者（低体重児）の腹の下に位置することになる。
【００４１】
したがって、従来、保育器内でポジショニング姿勢を取っている低体重児のおむつを交換する作業を行う場合、作業者は、狭いスペース内で、低体重児の腹の下に手を入れてターゲットテープをファスニングテープから剥がす必要があった。このような作業は、作業者にとって煩雑であり、また、着用者である低体重児の肌を傷つけたり負担をかけてしまったりするおそれがあった。
【００４２】
これに対して、本実施形態のおむつ１では、ターゲットテープ２９とファスニングテープ３０とを係合させた状態で、ファスニングテープ３０とサイドフラップ１４とを接合している接合部４０を剥がすことが可能となっている。これにより、ターゲットテープ２９とファスニングテープ３０との係合を剥離させることなく、おむつ１を取り外すことが可能となる。したがって、着用者（低体重児）が保育器内でポジショニング姿勢を取っている場合であっても安全かつ簡単におむつ１を交換することができる。
【００４３】
＜ファスニングテープ３０の詳細＞
接合部４０を介してサイドフラップ１４に接合されているファスニングテープ３０の構成、及び、接合部４０の剥がし方について説明する。
【００４４】
図４は、ファスニングテープ３０の構成について説明する図である。同図４に示されるように、ファスニングテープ３０は幅方向に長い略矩形状のシート部材である。幅方向において、ファスニングテープ３０の内側端部３０ｅｉはサイドフラップ１４の厚さ方向の肌側に重複する部分を有し、ファスニングテープ３０の外側端部３０ｅｏは、サイドフラップ１４の両端から外側に突出する部分を有している。
【００４５】
ファスニングテープ３０とサイドフラップ１４とが厚さ方向において重複している部分のうち、幅方向において所定の幅Ｗ３０４を有する領域３０４の範囲内に接合部４０が形成されている。図４で、斜線部で示される接合部４０は、幅方向においてＷ３０４よりも狭い所定の幅Ｗ４０を有しつつ（Ｗ３０４＞Ｗ４０）、長手方向に沿って形成されている。本実施形態では、ヒートシールやソニックシール等による溶着や、ホットメルト接着剤等を用いた接着、その他の接合手段を用いて、接合部４０が形成され、サイドフラップ１４の非肌側にファスニングテープ３０が接合されている。なお、図４に示されているように、本実施形態のファスニングテープ３０で領域３０４よりも幅方向内側の領域（内側端部３０ｅｉを含む所定の領域）は接合部４０が形成されていないドライエッジとなっている。
【００４６】
また、接合部４０は、図４の斜線部で示される領域（すなわち、幅Ｗ４０で表示されている領域）の全体でファスニングテープ３０とサイドフラップ１４とを接合しているのではなく、斜線部で示される領域中の一部でファスニングテープ３０とサイドフラップ１４とを接合しているのであっても良い。図５は、接合部４０の一例について説明する平面図である。図５の例では、ファスニングテープ３０のうち領域３０４の範囲内に、黒丸で表示されたドット状接合部４０１が幅方向に沿って３個、長手方向に沿って４個ずつ間欠的に並ぶことにより、接合部４０が形成されている。このように、複数のドット状接合部４０１によって接合部４０を形成することにより、ファスニングテープ３０とサイドフラップ１４との接合強度を変更することができる。例えば、個々のドット状接合部４０１の大きさ（面積）や、配置間隔を変更することで、接合部４０における接合強度を自在に調整することが可能となる。
【００４７】
ファスニングテープ３０のうち、サイドフラップ１４の幅方向端部から外側に突出している部分の肌側面の一部の領域には、係合部３１が設けられている（図４参照）。係合部３１は、例えば、複数の係止用突起（フック）を備えた面ファスナーによって構成されており、当該係止用突起を、前部３に設けられたターゲットテープ２９（不織布）のループ状繊維に引っ掛けることにより、両者が係合される。
【００４８】
また、本実施形態のファスニングテープ３０は、少なくとも図５の領域３０４の範囲において、幅方向において伸縮しにくくなっている。言い換えると、ファスニングテープ３０のうち、幅方向において接合部４０が形成されている領域を含む所定の領域の幅方向に対する伸縮性は、その他の領域の幅方向に対する伸縮性以下である。すなわち、ファスニングテープ３０のうち、幅方向において接合部４０が形成されている領域の伸縮性が最も低くなっている。これにより、おむつ１を着脱させる際にファスニングテープ３０が幅方向に引っ張られた場合であっても、接合部４０が形成されている領域は伸びにくいため、接合部４０が変形しにくく、接合強度が低下しにくくなっている。したがって、おむつ１の着用時に着用者が身体を動かしたりした場合であっても接合部４０が自然に剥がれてしてしまうことが抑制される。
【００４９】
さらに、望ましくは領域３０４の範囲が幅方向に対して非伸縮であると良い。当該領域が非伸縮性であれば、少なくとも、接合部４０の幅方向両端と隣接する部分が幅方向に伸縮しなくなる。これにより、後述するようにファスニングテープ３０の幅方向内側端部３０ｅｉを引っ張って接合部４０を剥がす動作を行う際に、ファスニングテープ３０を引っ張る力（Ｆ２）を効率的に接合部４０に対して作用させやすくなる。すなわち、ファスニングテープ３０を引っ張る力が、ファスニングテープ３０を伸縮させるために消費されてしまうこと等が抑制され、より小さな力でも接合部４０を剥がしやすくなる。
【００５０】
また、幅方向において領域３０４よりも外側の領域では、幅方向に対する伸縮性を高くすると良い。すなわち、ファスニングテープ３０のうち、幅方向において接合部４０が形成されている領域の伸縮性よりも、当該接合部４０が形成されている領域よりも幅方向の外側の領域の伸縮性が高くなるようにしても良い。このようにすれば、低体重児におむつ１を着用させる際にファスニングテープ３０を幅方向に引っ張った場合に、ファスニングテープ３０自体の伸縮性によってサイドフラップ１４が幅方向の外側に引っ張られて拡幅されやすくなり、おむつ１の胴回り開口に皺が形成されたり、サイドフラップ１４が撓んだりすることが抑制される。したがって、おむつ１のフィット性を向上させることができる。
【００５１】
＜接合部４０の剥がし方＞
図６Ａ〜図６Ｃは、接合部４０を剥がすことによっておむつ１を取り外す方法について説明する断面模式図である。同図６Ａ〜図６Ｃでは、図３のようにポジショニング姿勢を取っている着用者（低体重児）がおむつ１を着用している状態において、着用者の胴回り付近の断面状態について表している。図６Ａの状態で、ファスニングテープ３０の係合部３１とターゲットテープ２９とが係合している部分は着用者の腹の下側に位置しており、当該係合している部分の両側には、着用者の両脚がある。この状態では、ファスニングテープ３０の外側端部３０ｅｏをつかんで横方向に引っ張り、ターゲットテープ２９から剥がすことは困難である。
【００５２】
そこで、作業者は、図６Ｂのようにファスニングテープ３０の内側端部３０ｅｉをつかんで横方向の外側（図６Ｂにおいて矢印の方向）に向けて引っ張る。内側端部３０ｅｉは、着用者（低体重児）の背側に配置されているため、着用者がポジショニング姿勢を取っている場合であっても、外側から確認しやすく、また、上述したように内側端部３０ｅｉの少なくとも一部はドライエッジとなっているため、作業者は該内側端部３０ｅｉ容易につかむことができる。なお、図６Ｂにおいて、作業者は内側端部３０ｅｉを横方向ではなく下方向に引っ張るのであっても良い。
【００５３】
そして、内側端部３０ｅｉを引っ張る力が接合部４０の接合力よりも大きくなると、図６Ｃのように、接合部４０が剥がれてファスニングテープ３０がサイドフラップ１４から離脱する。これにより、おむつ１の胴回り開口部が着用者の胴から解放され、作業者は、着用者の股下側からおむつ１を取り外すことができる。
【００５４】
図７Ａ及び図７Ｂは、接合部４０に作用する力について説明する図である。なお、おむつ１の着用状態では、図６に示されるようにファスニングテープ３０及びサイドフラップ１４は着用者の胴回りに沿って曲面状になっている。これに対して、図７Ａ及び図７Ｂでは説明のため、ファスニングテープ３０及びサイドフラップ１４を展開状態（平面状態）で表している。
【００５５】
図７Ａは、おむつ１の通常の着用状態において、接合部４０に作用する力について説明する図である。同図７Ａにおいておむつ１が着用されている状態では、ファスニングテープ３０の幅方向の外側端部３０ｅｏは、ターゲットテープ２９（図７Ａでは不図示）と係合している。そして、着用者の胴回りにおけるフィット性を高めるために、ファスニングテープ３０の接合部４０よりも幅方向の外側の領域（外側端部３０ｅｏを含む領域）は、図７Ａの幅方向の外側に引っ張られた状態でターゲットテープ２９に係合されている。したがって、ファスニングテープ３０が幅方向外側へ引っ張られる力と、接合部４０を介してファスニングテープ３０と接合されているサイドフラップ１４の抗力とによって、接合部４０に対して幅方向に沿った力が作用している。さらに、本実施形態では、ファスニングテープ３０自体が幅方向に伸縮性を有しているため、引っ張られて伸張したファスニングテープ３０を収縮させる力が接合部４０に対して作用する。これらにより、接合部４０には、幅方向に沿って外側に向かう方向の力Ｆ１が作用する。そして、力Ｆ１の大きさがＦ１Ｓとなったときに接合部４０が剥がれて、ファスニングテープ３０がサイドフラップ１４から離脱するものとする。
【００５６】
次に、図７Ｂは、おむつ１を取り外す際に、接合部４０に作用する力について説明する図である。図６で説明したように、おむつ１を取り外す際には、接合部４０を剥がすために、ファスニングテープ３０の接合部４０よりも幅方向の内側の領域（内側端部３０ｅｉ）が所定の方向に引っ張られる。ここで、内側端部３０ｅｉが引っ張られる「所定の方向」とは、図７Ｂのように、接合部４０に対して幅方向の外側に向かう方向と厚さ方向の外側（非肌側）に向かう方向との間の角度θ３０の範囲に含まれるいずれかの方向である。言い換えると、幅方向に沿って外側に向かう方向から厚さ方向に沿って外側に向かう方向までの間の任意の方向である。すなわち、所定の方向は、ポジショニング姿勢で寝ている低体重児がおむつ１を着用している状態において、作業者がファスニングテープ３０を接合部４０から引き剥がそうとする場合に、内側端部３０ｅｉが引っ張られる可能性のある方向である。図７Ｂでは、接合部４０に対して「所定の方向」に向かう力Ｆ２が作用している。そして、力Ｆ２の大きさがＦ２Ｓとなったときに接合部４０が剥がれて、ファスニングテープ３０がサイドフラップ１４から離脱するものとする。
【００５７】
本実施形態のおむつ１では、ファスニングテープ３０を幅方向に沿って外側に向かう方向に引っ張った際に接合部４０が剥がれるときの力Ｆ１Ｓの方が、ファスニングテープ３０を上述の所定の方向に引っ張った際に接合部４０が剥がれるときの力Ｆ２Ｓの最小値よりも小さくなるように、接合部４０が形成されている。具体的には、Ｆ１Ｓ≧０．０８６Ｎ／ｍｍ程度となり、０．０８０Ｎ／ｍｍ≧Ｆ２Ｓ≧０．０１４Ｎ／ｍｍ程度となるように、接合部４０における接合力が調整されている。なお、Ｆ２Ｓの大きさが上下に幅を有しているのは、ファスニングテープ３０が引っ張られる方向（図７Ｂの角度θ３０のいずれかの方向）によって接合部４０を剥がすために必要な力の大きさが変動するからである。
【００５８】
したがって、着用者がおむつ１を着用している状態で、身体を動かしたり呼吸をしたりした際に、着用者の胴回りに沿ってファスニングテープ３０が幅方向の外側に引っ張られた場合に作用する力Ｆ１（すなわち、着用状態において自然に作用する力）が０．０８６Ｎ／ｍｍより小さければファスニングテープ３０がサイドフラップ１４から剥がれてしまう可能性は低い。一方、おむつ１を交換する際には、最低０．０１４Ｎ／ｍｍ程度の力Ｆ２でファスニングテープの内側端部３０ｅｉを引っ張ることによって、ファスニングテープ３０をサイドフラップ１４から引き剥がすことが可能である。これにより、おむつ１の着用時にファスニングテープ３０が自然に外れてしまうことを抑制しつつ、おむつ１を取り外す際にはファスニングテープ３０をサイドフラップ１４から容易に離脱させることができるようになる。
【００５９】
さらに、本実施形態では、おむつ１を取り外す際に、ファスニングテープ３０のうち接合部４０よりも幅方向の内側の領域（内側端部３０ｅｉ）を引っ張ったときに接合部４０が剥がれる力Ｆ２Ｓの最大値よりも、ファスニングテープ３０のうち、接合部４０よりも幅方向の外側の領域を引っ張ったときに接合部４０が剥がれる力Ｆ１Ｓの方が大きくなるように接合部４０が形成されている。したがって、おむつ１を取り外す際に、ファスニングテープ３０（内側端部３０ｅｉ）を図７Ｂの角度θ３０で表される範囲中のいずれの方向に引っ張った場合であっても、該ファスニングテープ３０をサイドフラップ１４から離脱させやすくすることができる。
【００６０】
また、ファスニングテープ３０の内側端部３０ｅｉを引っ張る際に、より小さな力でファスニングテープ３０をサイドフラップ１４から離脱させることができるように、接合部を以下のように変形しても良い。図８は、接合部４０の変形例について示す平面図である。同図８では、図５と同様に、ドット状接合部４０１が幅方向に沿って３個、長手方向に沿って４個ずつ間欠的に並ぶことにより、接合部４０が形成されている。但し、図８の例では、複数のドット状接合部４０１のうち、幅方向の最も内側の列に配置されているドット状接合部４０１ａ（図８において白丸で表示されている）の面積が、その他の列に配置されているドット状接合部４０１ｂ（図８において黒丸で表示されている）の面積よりも小さくなっている。この場合、ドット状接合部４０１ａによるファスニングテープ３０とサイドフラップ１４との接合力は、ドット状接合部４０１ｂによる接合力よりも弱くなる。
【００６１】
低体重児に着用されているおむつ１を取り外す際に、ファスニングテープ３０の内側端部３０ｅｉが引っ張られると、接合部４０のうち、まず、幅方向の最も内側の列に配置されているドット状接合部４０１ａに対して力Ｆ２が作用する。したがって、最初に力Ｆ２が作用する領域に形成されているドット状接合部４０１による接合強度を、他の領域に形成されているドット状接合部４０１による接合強度よりも弱くしておくことで、ファスニングテープ３０をより剥がれやすくすることができる。
【００６２】
また、図８の変形例以外のパターンとして、複数のドット状接合部４０１のうち幅方向の最も内側の列に配置されているドット状接合部４０１ａの個数を少なくしたり、形状を変更したりしても良い。例えば、長手方向に配置されているドット状接合部４０１ａの個数を図８の場合の４個から３個に減らしたり、長手方向に隣り合うドット状接合部４０１ａの間隔を大きくしたりすることで、当該領域におけるドット状接合部４０１による接合強度を弱くしても良い。
【００６３】
図７Ｂにおいて、ファスニングテープ３０が幅方向の外側と厚さ方向の外側との間の任意の方向に引っ張られる場合の力Ｆ２の作用について説明したが、ファスニングテープ３０が上記以外の方向に引っ張られる場合もある。図９は、ファスニングテープ３０がおむつ１の長手方向に引っ張られる場合に、接合部４０に作用する力について説明する図である。同図９のようにファスニングテープ３０の接合部４０よりも幅方向の内側の領域（内側端部３０ｅｉ）が長手方向の一方側から他方側（例えば、胴回り側から股下側）の方向に引っ張られると、接合部４０に対して長手方向に沿った力Ｆ３が作用する。そして、力Ｆ３の大きさがＦ３Ｓとなったときに接合部４０が剥がれて、ファスニングテープ３０がサイドフラップ１４から離脱するものとする。なお、Ｆ３Ｓの大きさは、０．４Ｎ／ｍｍ≧Ｆ３Ｓ≧０．０２Ｎ／ｍｍ程度である。
【００６４】
したがって、おむつ１では、ファスニングテープ３０を幅方向に沿って外側に向かう方向に引っ張った際に接合部４０が剥がれるときの力Ｆ１Ｓの方が、ファスニングテープ３０を長手方向に引っ張った際に接合部４０が剥がれるときの力Ｆ３Ｓよりも大きくなる。この場合、おむつ１の着用時にファスニングテープ３０が自然に外れてしまうことを抑制しつつ、ファスニングテープ３０を長手方向に引っ張ることでサイドフラップ１４から容易に離脱させることができるようになる。
【００６５】
また、ファスニングテープ３０を長手方向に引っ張ったときにより小さな力でファスニングテープ３０をサイドフラップ１４から離脱させることができるように、接合部の形状を変形しても良い。図１０は接合部４０の変形例について示す平面図である。同図１０の例では、複数のドット状接合部４０１のうち、長手方向の最も胴回り側の列に配置されているドット状接合部４０１ｃ（図１０において白丸で表示されている）の面積が、その他の列に配置されているドット状接合部４０１ｄ（図１０において黒丸で表示されている）の面積よりも小さくなっている。この場合、ドット状接合部４０１ｃによるファスニングテープ３０とサイドフラップ１４との接合力は、ドット状接合部４０１ｄによる接合力よりも弱くなる。したがって、ファスニングテープ３０が長手方向の胴回り側から股下側に引っ張られる場合に、ファスニングテープ３０をより剥がれやすくすることができる。
【００６６】
また、接合部４０が図１０のように形成している場合、ファスニングテープ３０を長手方向に沿って胴回り側から股下側に向けて引っ張った際に接合部４０が剥がれるときの力の方が、ファスニングテープ３０を長手方向に沿って股下側から胴回り側に向けて引っ張った際に接合部４０が剥がれるときの力よりも小さくなる。すなわち、ファスニングテープ３０が胴回り側から股下側に向かって引っ張られた場合は接合部４０が剥がれやすいのに対して、ファスニングテープ３０が股下側から胴回り側に向かって引っ張られた場合は接合部４０が剥がれにくくなる。これにより、おむつ１の着用時にポジショニング姿勢を取っている低体重児が脚を動かした場合に、股下側から胴回り側に向かって接合部４０が剥がれてしまい、おむつ１が自然に外れてしまう等の問題が生じにくくなる。一方、おむつ１を取り外すために接合部４０を剥がしたい場合には、胴回り側から股下側に向かっておむつ内側に指を入れてファスニングテープ３０を引っ張ることで、接合部４０を容易に剥がすことが可能である。
【００６７】
また、ファスニングテープ３０を引っ張った際に、接合部４０が剥がれるときの力Ｆ２Ｓ及び力Ｆ３Ｓは、共にターゲットテープ２９と係合しているファスニングテープ３０の係合部３１を、該ターゲットテープ２９（ターゲット領域）から剥離させるために要する力よりも大きい。上述したように係合部３１は面ファスナー等の構造により、ターゲットテープ２９に対して着脱自在に係合できるように係合力が設定されている。これは、おむつ１を着用させる際に、胴回りのフィット性を調整したり、おむつ１の着用位置を調整したりするために繰り返して着脱可能であることが要求されるからである。一方、接合部４０を介したファスニングテープ３０とサイドフラップ１４との接合は、おむつ１を取り外す際に一度だけ剥がれれば良く、繰り返し着脱を行うものではない。したがって、おむつ１では、ファスニングテープ３０を引っ張った際に、接合部４０が剥がれるときの力Ｆ２Ｓ及び力Ｆ３Ｓが、ファスニングテープ３０の係合部３１を、ターゲット領域から剥離させるときのよりも大きくなるように設定している。
【００６８】
また、力Ｆ２Ｓと、力Ｆ３Ｓとを比較すると、Ｆ３Ｓの方がＦ２Ｓよりも小さい。したがって、ファスニングテープ３０をサイドフラップ１４から引き剥がす際には、ファスニングテープの内側端部３０ｅｉを幅方向に沿って引っ張るよりも、長手方向に沿って引っ張る方がファスニングテープ３０を剥がしやすくなる。
【００６９】
また、ファスニングテープ３０を引っ張って剥がす際には、ファスニングテープ３０のうち、領域３０４よりも幅方向内側のドライエッジとなっている領域が作業者の指でつままれる。すなわち、図４においてファスニングテープ３０の幅方向内側端から接合部４０（領域３０４）の幅方向内側端までの距離ｈ１で表される領域が作業者の一方の手（指）でつかまれる。ここで、ファスニングテープ３０を引っ張って接合部４０を剥がす力を効率的に作用させるためには、作業者の他方の手がおむつ１のサイドフラップ１４もしくは中央帯状領域１２をしっかりとつかむことができることが望ましい。おむつ１では、サイドフラップ１４（中央帯状領域１２）の長手方向の一方側の端（図４で胴回り側端）からファスニングテープ３０の長手方向の一方側の端（図４では胴回り側端）までの距離ｈ２がｈ１よりも大きくなるようにファスニングテープ３０が配置されている（ｈ２＞ｈ１）。
【００７０】
このような構成により、作業者は一方の手でサイドフラップ１４（中央帯状領域１２）のうち距離ｈ２で表される部分をしっかりとつかみつつ、他方の手でファスニングテープ３０のうち距離ｈ１で表される領域（内側端部３０ｅｉを含む領域）を引っ張ることができる。これにより、ファスニングテープ３０を引っ張る力が接合部４０に作用しやすくなり、保育器内のような狭いスペースであっても、着用者（低体重児）の身体に負担をかけずにファスニングテープ３０をサイドフラップ１４から引き剥がしやすくなり、おむつ１を交換しやすくなる。
【００７１】
また、ファスニングテープ３０を引っ張る際に、どの部分をつかんで引っ張れば良いのかを指示する指示マークが付されていても良い。図４では、にファスニングテープ３０の内側端部３０ｅｉの位置を示す指示マーク５０がサイドフラップ１４の表面に付されている。当該指示マーク５０を確認することによって、作業者はファスニングテープ３０のどの部分を引っ張れば接合部４０を簡単に剥がすことができるのかを正しく認識しやすくなる。なお、指示マーク５０は他の部位に付されていても良い。例えば、ファスニングテープ３０の表面に指示マーク５０が付されているのであっても良い。また、指示マーク５０がファスニングテープ３０を引っ張る方向を指示するのであっても良い。
【００７２】
＜変形例＞
上述の実施形態では、おむつ１に設けられたサイドフラップ１４が後部７において幅方向の両外側に延出しており、当該延出している部分に接合部４０を介してファスニングテープ３０が接合されている例について説明されていたが、おむつ１の形状は以下のように変形することも可能である。図１１は、展開かつ伸長させた状態のおむつ１の変形例（おむつ２）について表す平面図である。図１２は、おむつ２の後部７（Ａ−Ａ断面）の分解説明図である。
【００７３】
図１１に示されるように、変形例のおむつ２では、おむつ１のサイドフラップ１４を構成していた肌側シート２６及びバックシート２４が後部７において幅方向の外側に延出していない。すなわち、おむつ２の外装シートたるバックシート２４（及び肌側シート２６）の幅方向の両端が、長手方向に沿って直線状に形成されており、ファスニングテープ３０を除いたおむつ２が略長方形状に形成されている。幅方向外側に延出した部分が無いため、おむつ２の全体の幅を狭くすることが可能であり、また、おむつ２自体を所謂吸収パッドや吸収ライナー等の吸収性物品として使用することもできる。なお、おむつ２で、サイドフラップ１４に相当する部位（バックシート２４及び肌側シート２６）以外の他の構造や機能については、おむつ１とほぼ同様であるため、詳細な説明は省略する。
【００７４】
変形例のおむつ２の後部７において、外装シート（バックシート２４）の幅方向の両側部にはファスニングテープ３０が配置されている。おむつ１と同様に、幅方向において、ファスニングテープ３０の内側端部３０ｅｉはおむつ２の外装シート（バックシート２４）の厚さ方向の肌側に重複する部分を有し、ファスニングテープ３０の外側端部３０ｅｏは、外装シート（バックシート２４）の両端から外側に突出する部分を有している。そして、ファスニングテープ３０と外装シート（バックシート２４）とが厚さ方向において重複している部分のうち少なくとも一部には接合部４０が形成されている。接合部４０の構成はおむつ１と同様であり、例えば、複数のドット状接合部４０１によって接合部４０が形成されているのであっても良い。
【００７５】
おむつ２の着用者である低体重児がポジショニング姿勢を取っている状態において、作業者が着用者の身体からおむつ２を取り外す作業を行う際には、図６Ａ〜６Ｃで説明したのと同様に、ファスニングテープ３０の内側端部３０ｅｉをつかんで横方向外側若しくは鉛直方向下側に引っ張り、接合部４０を剥がすことによって、外装シート（バックシート２４）からファスニングテープ３０を離脱させることができる。
【００７６】
おむつ２では、おむつ１と同様に、ファスニングテープ３０のうち接合部４０よりも幅方向の内側の領域（内側端部３０ｅｉを含む領域）を幅方向に沿って外側に向かう方向から厚さ方向に沿って外側に向かう方向までの間の任意の方向に引っ張る力Ｆ２（図７Ｂ参照）の最小値が、ファスニングテープ３０のうち接合部４０よりも幅方向の外側の領域（外側端部３０ｅｏを含む領域）が幅方向外側へ引っ張られる力Ｆ１（図７Ａ参照）よりも小さくなっている。
【００７７】
したがって、おむつ２を交換する際には、力Ｆ２でファスニングテープの内側端部３０ｅｉを引っ張ることによって、ファスニングテープ３０を外装シート（バックシート２４）から引き剥がすことが可能である。これにより、おむつ２の着用時にファスニングテープ３０が自然に外れてしまうことを抑制しつつ、おむつ１を取り外す際にはファスニングテープ３０を外装シート（バックシート２４）から容易に離脱させることができる。
【００７８】
また、本変形例に係るおむつ２の接合部４０を、おむつ１と同様の構成とすることで（図４〜図１０参照）、上述したように、接合部４０を剥がしやすくしたり、おむつ２を取り外す際に着用者の身体にかかる負担や作業者の手間を軽減したりすることが可能となる。
【００７９】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００８０】
上記の実施形態では、ターゲットテープ２９がループを有し、ファスニングテープ３０の係合部３１がフックを有し、ループにフックが引っ掛かることによってターゲットテープ２９に係合部３１を係止させる例について説明されていたが、ターゲットテープ２９及び係合部３１の構成は、それぞれ上述の例には限られない。例えば、ターゲットテープ２９がフックを有し、係合部３１がループを有する構造であって、ターゲットテープ２９のフックに係合部３１のループを係止させる構成であっても良い。また、ターゲットテープ２９及び係合部３１の少なくとも一方の表面に粘着性を有する部材が設けられており、当該粘着性の部材を他方の表面に貼付することによって、両者が係止されるのであっても良い。
【符号の説明】
【００８１】
１  使い捨ておむつ（おむつ）、
２  使い捨ておむつ（おむつ）、
３  前部、５  股下部、７  後部、
１２  中央帯状領域、
１４  サイドフラップ、
１５  レッグギャザー弾性部材、
１６  レッグギャザー、
１７  レッグサイドギャザー、
１８  レッグサイドギャザー弾性部材、
２１  吸収体、２１ｆ  ダーツ部、２１ｂ  ダーツ部、
２２  トップシート、２３  防漏シート、
２４  バックシート（外装シート）、
２５  脚回り弾性部材、
２６  肌側シート、２６Ａ  接合部、
２９  ターゲットテープ、
３０  ファスニングテープ、
３０ｅｉ  内側端部、３０ｅо  外側端部、
３１  係合部、
４０  接合部、
５０  指示マーク、
３０４  領域、
４０１  ドット状接合部、４０１ａ，４０１ｂ，４０１ｃ，４０１ｄ  ドット状接合部、
Ｆ１，Ｆ１Ｓ，Ｆ２，Ｆ２Ｓ，Ｆ３，Ｆ３Ｓ  力、
θ３０  角度
【図１】
2018075337.tif 000003
【図２】
2018075337.tif 000004
【図３】
2018075337.tif 000005
【図４】
2018075337.tif 000006
【図５】
2018075337.tif 000007
【図６】
2018075337.tif 000008
【図７】
2018075337.tif 000009
【図８】
2018075337.tif 000010
【図９】
2018075337.tif 000011
【図１０】
2018075337.tif 000012
【図１１】
2018075337.tif 000013
【図１２】
2018075337.tif 000014